(57)【要約】【課題】浮子本体の材質を変更することにより、浮子の耐久性を高め、ひいては良好な釣果に貢献せんとすることを課題とする。【解決手段】浮子本体を軟質合成樹脂で構成する。【選択図】      図１
2004242653.tif 000002
【特許請求の範囲】
【請求項１】
浮子本体が軟質合成樹脂で構成されてなることを特徴とする浮子。
【請求項２】
前記浮子本体が中空状に形成されてなる請求項１記載の浮子。
【請求項３】
前記浮子本体が複数の分割体により構成され、且つ該分割体相互間の接合部位を補強するための補強手段を備えてなる請求項１又は２記載の浮子。
【請求項４】
前記浮子本体が中空状に形成された一対の分割体により構成され、且つそれぞれ分割体の内部に円筒状のパイプが突設され、分割体の接合によって一対のパイプが同心且つ内部を連通状態で接合されてなる請求項３記載の浮子。
【請求項５】
前記補強手段が、接合部位に当接させるべく浮子本体内に設けられたリブである請求項３又は４記載の浮子。
【請求項６】
前記補強手段が、パイプに一体又は別体に設けられたリブである請求項４に従属する請求項５記載の浮子。
【請求項７】
前記補強手段が、接合部位の外周面に嵌合可能な環状体又は該外周面に一体成形される環状体である請求項３又は４記載の浮子。
【発明の詳細な説明】
【０００１】
【発明の属する技術分野】
本発明は、魚釣りに使用される浮子に関する。
【０００２】
【従来の技術】
従来、この種の魚釣り用浮子に於ける浮子本体としては、木製や合成樹脂製のものが存在するが、合成樹脂で構成したものにあっては硬質の合成樹脂が使用されていた。
【０００３】
【発明が解決しようとする課題】
しかしながら、上記従来の浮子はその本体が硬質の合成樹脂からなるため、実際の釣りに際し海や川等に投じた時や引き寄せ時に岩や異物等に衝突すると、割れやひび等の損傷を受けて浮子本体の内部に海水等が浸水する虞があった。その結果、以後の使用に支障を来たすという大なる問題点があった。
【０００４】
また、上記の如く浮子が岩等に衝突した際には異音が発生するため、魚に警戒心を起こさせることになり、釣りをする上で好ましくない難点も有していたのである。
【０００５】
それ故に、本発明は上記従来の課題を解決するためになされたものであり、浮子本体の材質を変更することにより、浮子の耐久性を高め、ひいては良好な釣果に貢献せんとすることを課題とする。
【０００６】
【課題を解決するための手段】
上記課題を解決するために本発明の請求項１記載の浮子は、浮子本体を軟質合成樹脂で構成したことを課題解決のための手段としている。
【０００７】
かかる浮子にあっては、浮子本体は軟質合成樹脂で構成されてなるため、釣りに際して浮子が岩等に衝突しても、その緩衝作用により衝撃が浮子本体によって適切に吸収され、また異音を生ぜしめるようなこともない。
【０００８】
また、浮子本体は請求項２記載の発明のように浮力を確保すべく中空状に形成しても良く、更には請求項３記載の発明の如く浮子本体を複数の分割体により構成し、且つ該分割体相互間の接合部位を補強するための補強手段を備えさせても構わない。
【０００９】
そして、請求項３の場合、請求項４記載の発明の如く前記浮子本体が中空状に形成された一対の分割体により構成され、且つそれぞれ分割体の内部に円筒状のパイプが突設され、分割体の接合によって一対のパイプが同心且つ内部を連通状態で接合されるようにすることもできる。
【００１０】
そして、補強手段としては、例えば請求項５記載の発明のように接合部位に当接させるべく浮子本体内に設けたリブや、その中でも請求項６記載の発明のようにパイプに一体又は別体に設けたリブや、或いは請求項７記載の発明の如く接合部位の外周面に嵌合又は該外周面に一体成形した環状体を挙げることができる。
【００１１】
而して、請求項３乃至請求項７記載の発明のように浮子本体を複数の分割体で構成した場合には、該分割体相互間の接合部位を補強するための補強手段を設けることにより、該接合部位の適切な保護及び補強が図れることになる。また、パイプを設ける場合には、分割体相互間の接合部位と共にパイプの接合部位をもって浮子本体の強度が向上することになる。
【００１２】
【発明の実施の形態】
以下、本発明の一実施形態について図面を従って説明する。
【００１３】
図１に於いて、１は軟質合成樹脂、例えばエラストマー系、シリコン系、アクリル系、ウレタン系、ポリビニルクロライド系等の軟質合成樹脂からなる中空状の浮子本体を示し、該浮子本体１は上下一対の分割体１ａ，１ｂで構成されている。
【００１４】
２は各分割体１ａ，１ｂの中央に形成した環状凹部で、セラミック等からなるＯリング３を装着してなる。４は各分割体１ａ，１ｂの内周面中央部に夫々突設した円筒状のパイプで、前記環状凹部２と同心円状に設けている。
【００１５】
５は前記浮子本体１を形成すべく各分割体１ａ，１ｂが接合される接合部位を示し、該接合部位５は一方の分割体１ａの開口部内周面に形成した嵌合凹部６と、該嵌合凹部６に嵌合させるべく他方の分割体１ｂの開口部端面に形成した嵌合凸部７とで構成され、この両者は接着剤等により接合される。その際、他方の分割体１ａのパイプ４の先端が一方の分割体１ｂのパイプ４の先端に嵌入することになるが、このパイプ４の接合にも接着剤等を使用する。
【００１６】
８は一方の分割体１ａのパイプ４の先端側に設けた補強手段で、該補強手段８はパイプ４が挿通される円孔を中央に穿設した環状のリブからなり、その外周面は前記浮子本体１の接合部位５の内周面、即ち他方の分割体１ａの嵌合凸部７に当接するように構成されている。尚、補強手段８としてのリブは硬質又は軟質合成樹脂からなり、且つパイプ４に溶着又は接着して固定される。９は他方の分割体１ｂのパイプ４の基端部側に外嵌着した錘で、鉛等の重い金属素材からなる。
【００１７】
本実施形態に係る浮子は以上のような構成からなるが、かかる浮子はそのパイプ４に釣糸を挿通し、浮子が釣糸に対して自由に移動するような状態で使用される。
【００１８】
そして、実際に釣りをするに当っては、海や川等に投じた時や引き寄せ時に岩や異物等に衝突することがあるが、浮子本体１は軟質合成樹脂で構成されてなるために、その衝撃が浮子本体１の緩衝作用により適切に吸収されて該浮子本体１に割れやびび等の損傷を生ぜしめることはなく、よって浮子本体１の内部に海水等が浸水するようなことはない。その結果、良好な使用状態を長期にわたって維持できるという耐久性を具有することになる。
【００１９】
また、岩等との衝突時に異音が発生することもなくなるので、魚に警戒心を起こさせるようなこともなくなって、釣りをする上で大変好しく、釣果に貢献し得ることとなる。
【００２０】
また、補強手段８としてのリブの外周面は浮子本体１の接合部位５に当接させてなるため、該接合部位５の保護及び補強が図られて、その接合状態が良好に維持されることになる。その結果、浮子が衝撃を受けても接合部位５に破損が生じることもなくなるのである。特に、本実施形態のように浮子本体１を分割体１ａ，１ｂで構成する場合には、補強手段８が有効に機能することになる。
【００２１】
尚、上記実施形態に於いては、接合部位５の補強手段８として環状のリブを採用したが、その形状は任意に設計変更可能であり、例えば補強力を増大させるために、図２に示す如く接合部位５に当接する外周面側を厚肉となるようにしたり、或いはリブを放射形状に形成してこれを補強手段８としてもよい。いずれにせよ、パイプ４に一体又は別体のリブを設ければ、分割体１ａ，１ｂの内周面に対するそれぞれパイプ４の位置決め効果もあるため、分割体１ａ，１ｂを接合する際、一対のパイプ４，４が互いにずれた状態となるようなことはなく、パイプ４，４を互いに確実に同心状態で接合することが可能となる。
【００２２】
また、補強手段８は、次のように構成することも可能である。即ち、図３のように一方の分割体１ａに他方の分割体１ｂの嵌合凸部７の内周面に当接するリブを設けてこれを補強手段８とする。かかるリブの形状は筒状でも、一部切欠を有する筒状等であってもよく、その具体的は形状は問うものではない。要は、接合部位５の一部を構成する他方の分割体１ｂの内周面に全部又は一部が当接して前記接合部位５を保護及び補強し得るものであればよい。
【００２３】
更に、補強手段８の他の実施形態としては、例えば図４に示すようなものを挙げることができる。即ち、浮子本体１を構成する分割体１ａ，１ｂの開口部外周面に切欠１０を夫々設け、これら切欠１０により凹溝１１が形成されるように両分割体１ａ，１ｂを接着して接合部位５を構成し、これを補強すべく前記溝１１に外嵌着可能な環状体１２を固着するのである。また、この環状体１２は次のようにして形成することもできる。即ち、分割体１ａ，１ｂを接着した状態で金型にセットし、前記凹溝１１に合成樹脂を流し込んで環状体１２を一体成形するのである。かかる一体化によって接合部位５の保護及び補強が図られることになる。尚、これらの場合に於いて環状体１２の材質は軟質合成樹脂に限定されず、硬質の合成樹脂であっても何ら構わない。更に、環状体１２は各分割体１ａ，１ｂの外周面と面一に形成する必要もなく、必要な補強力の程度に応じて外部に突出するようにしてもよい。
【００２４】
また、浮子本体１は上記実施態様の如く２個の分割体１ａ，１ｂで構成してなるが、浮子本体１の内部形態等によっては樹脂成形の作業上の便宜等を考慮し、それ以上に分割して浮子本体１を構成しても構わない。
【００２５】
更に、上記実施形態に於いては、各分割体１ａ，１ｂにパイプ４を設けたが、図５の如く該分割体１ａ，１ｂとは別体にパイプ４を形成し、分割体１ａ，１ｂの組立後に該分割体１ａ，１ｂに穿設した孔１４に挿着してもよい。この場合、パイプ４の両端部には上記実施形態と同様にＯリング３を装着する。
【００２６】
また、上記実施形態では十分な浮力を確保すべく浮子本体１を中空状に構成してなるが、分割体１ａ，１ｂの何れか一方を中実状に形成することも可能であり、更には浮子本体１を分割せずに、全体を中実状に構成してもよい。この場合は、上述した補強手段８及びパイプ４は必ずしも設ける必要はなく、釣糸は例えば浮子本体１の端部にリング等を設け、これに挿通して取着すればよい。
【００２７】
その他、錘９も浮子本体１の重量等を考慮し、必要に応じて設ければよい他、浮子本体１の形状等の具体的な構成も本発明の意図する範囲内に於いて任意に設計変更自在である。
【００２８】
【発明の効果】
以上説明したように本発明に係る浮子に於いては、浮子本体が軟質合成樹脂で構成されてなるために、実際の釣りに際し海や川等に投じた時や引き寄せ時に岩や異物等に衝突しても、その衝撃が浮子本体の緩衝作用により適切に吸収されて該浮子本体に割れやひび等の損傷を生ぜしめることはなく、よって浮子本体の内部に海水等が浸水するようなことはない。その結果、良好な使用状態を長期にわたって維持できるという耐久性を備えるに至った。
【００２９】
しかも、この岩等との衝突時に異音が発生することもなくなるために、魚に警戒心を起こさせるようなこともなくなって、釣りをする上で大変好しい結果が得られ、釣果に貢献し得るという効果も奏する。
【００３０】
また、浮子本体を複数の分割体で構成する場合に於いて、その接合部位を補強するための補強手段を設ければ、前記分割体の接合状態が良好に維持されることになる。よって浮子が衝撃を受けても接合部位に破損が生じることもなくなる。即ち、請求項３乃至７の発明ように浮子本体を複数の分割体で構成する場合には、補強手段が有効に機能することになるのである。
【図面の簡単な説明】
【図１】本発明の一実施形態に係る浮子の断面図。
【図２】本発明の他の実施形態を示す浮子の断面図。
【図３】本発明の他の実施形態を示す浮子の断面図。
【図４】本発明の他の実施形態を示す浮子の断面図。
【図５】本発明の他の実施形態を示す浮子の断面図。
【符号の説明】
１…浮子本体、１ａ…分割体、１ｂ…分割体、５…接合部位、８…補強手段
【図１】
2004242653.tif 000003
【図２】
2004242653.tif 000004
【図３】
2004242653.tif 000005
【図４】
2004242653.tif 000006
【図５】
2004242653.tif 000007